(57)【要約】【課題】光の放射の向きを簡単に調整することができる光装飾装置を提供すること。【解決手段】透明部材又は半透明部材で構成された装飾板と、前記装飾板の厚さ方向に挿入して設けられる挿入部材とを備え、前記挿入部材の内部に設置された光源からの光が該挿入部材の挿入部分より前記装飾板内に放射され該装飾板がその光によって装飾されるように構成された光装飾装置において、前記光源が設置され前記挿入部材の中空部に収容される光源設置ケースを備え、前記光源設置ケースは、前記挿入部材に収容された状態で、該挿入部材の挿入方向に延びる所定の軸を中心に回転可能に構成され、その回転によって前記光源からの光の放射の向きを変更可能となっており、さらに、前記挿入部材に対する前記光源設置ケースの回転位置を固定する回転位置固定手段を備える。【選択図】図３
0003146125.tif 000002
【実用新案登録請求の範囲】
【請求項１】
透明部材又は半透明部材で構成された装飾板と、前記装飾板の厚さ方向に挿入して設けられる挿入部材とを備え、前記挿入部材の内部に設置された光源からの光が該挿入部材の挿入部分より前記装飾板内に放射され該装飾板がその光によって装飾されるように構成された光装飾装置において、
前記光源が設置され前記挿入部材の中空部に収容される光源設置ケースを備え、
前記光源設置ケースは、前記挿入部材に収容された状態で、該挿入部材の挿入方向に延びる所定の軸を中心に回転可能に構成され、その回転によって前記光源からの光の放射の向きを変更可能となっており、
さらに、前記挿入部材に対する前記光源設置ケースの回転位置を固定する回転位置固定手段を備える、
ことを特徴とする光装飾装置。
【請求項２】
前記挿入部材は、一端側に該挿入部材を壁面に取り付けるためのフランジを備えることを特徴とする請求項１に記載の光装飾装置。
【請求項３】
前記挿入部材は、一端側に該挿入部材に螺着されるキャップを備え、前記挿入部材の該一端側には前記中空部に連なる開口が形成され、前記光源設置ケースは前記開口を通じて前記中空部に収容されるように構成され、前記光源設置ケースは、前記中空部に収容された状態で前記開口の縁に当接する鍔を備え、前記キャップと前記開口の縁とは前記回転位置固定手段を構成して、前記キャップの前記挿入部材への螺着によって、前記キャップと前記挿入部材によって前記鍔が挟持されるように構成されていることを特徴とする請求項２に記載の光装飾装置。
【請求項４】
前記光源設置ケースの外周壁には該光源設置ケースの内外方向に弾性変形可能な複数の舌片が周方向に所定の間隔で形成され、前記複数の舌片の各々には該舌片の先端部外面に突起が形成され、前記舌片は、前記光源設置ケースを前記挿入部材の前記中空部に収容させる際に、前記突起が該挿入部材の内壁に摺接して該光源設置ケースの内方へ弾性変形し、その弾性変形による反力によって該光源設置ケースが前記挿入部材に対して仮止めされるように構成されていることを特徴とする請求項３に記載の光装飾装置。
【請求項５】
前記挿入部材の前記開口の縁及び前記光源設置ケースの前記鍔部の一方には円周方向に沿って所定の間隔で複数の爪が形成され、他方には前記複数の爪に係合可能で係合位置によって該光源設置ケースを該挿入部材に対して位置決めする他の爪が形成されていることを特徴とする請求項４に記載の光装飾装置。
【考案の詳細な説明】
【技術分野】
【０００１】
本考案は、光装飾装置に関するもので、詳しくは、光源の設置構造に関するものである。
【背景技術】
【０００２】
光装飾装置として、透明部材又は半透明部材で構成された装飾板に、微細な凹凸による文字等の装飾部を形成するとともに、その厚さ方向に挿入部材を挿入させ、該挿入部材における装飾板への挿入部分から光を装飾板の内部に放射し、その光を装飾部で乱反射させることによって装飾部を光装飾させるようにしたものがある（例えば、特許文献１）。
【特許文献１】特開２００６−７５８６号公報（図１および図２参照）
【考案の開示】
【考案が解決しようとする課題】
【０００３】
このような光装飾装置にあっては、光源からの光を的確に装飾部に導き、その装飾部を光装飾することが好ましい。
ところが、製造段階で貫設部材における光源の設置場所や向きがずれたりする場合や、製造段階では光源の設置場所や向きは適切であったがその後の取扱段階での振動によって光源の向きがずれたりする場合もある。この場合には、光源からの光を的確に装飾部に導くことができなくなる。
そこで、このような場合には、光源を設置する挿入部材を装飾板の挿入孔内で回転させて光の放射の向きを微調整する必要が生じる。
しかしながら、装飾板の挿入孔と挿入部材とがきつく嵌り合ったりしている場合には、その調整が難しい。また、特に、光源が内部に設置された挿入部材をその一端で装飾板以外の壁面に固定するものでは、壁面に固定された挿入部材をその壁面から取り外し、再度、微調整を行いながら挿入部材を壁面に固定する必要がある。
【０００４】
本考案の目的は、光の放射の向きを簡単に調整することができる光装飾装置を提供することにある。
【課題を解決するための手段】
【０００５】
請求項１に記載の考案は、
透明部材又は半透明部材で構成された装飾板と、前記装飾板の厚さ方向に挿入して設けられる挿入部材とを備え、前記挿入部材の内部に設置された光源からの光が該挿入部材の挿入部分より前記装飾板内に放射され該装飾板がその光によって装飾されるように構成された光装飾装置において、
前記光源が設置され前記挿入部材の中空部に収容される光源設置ケースを備え、
前記光源設置ケースは、前記挿入部材に収容された状態で、該挿入部材の挿入方向に延びる所定の軸を中心に回転可能に構成され、その回転によって前記光源からの光の放射の向きを変更可能となっており、
さらに、前記挿入部材に対する前記光源設置ケースの回転位置を固定する回転位置固定手段を備える、
ことを特徴とする光装飾装置である。
この考案において、光源とは、ＬＥＤ等の光を発するものばかりでなく、光源設置ケースの内部に収容したランプ等の光を周面の一部に形成した開口から特定方向へ照射する場合，光源設置ケース内にグラスファイバー等を配設し、該グラスファイバーの端部を周面の一部に形成した開口に臨ませ、そのグラスファイバーによって導かれた光を特定方向へ照射する場合等も含むものとする。
【０００６】
請求項２に記載の考案は、請求項１に記載の光装飾装置であって、前記挿入部材は、一端側に該挿入部材を壁面に取り付けるためのフランジを備えることを特徴とする。
【０００７】
請求項３に記載の考案は、請求項２に記載の光装飾装置であって、前記挿入部材は、一端側に該挿入部材に螺着されるキャップを備え、前記挿入部材の該一端側には前記中空部に連なる開口が形成され、前記光源設置ケースは前記開口を通じて前記中空部に収容されるように構成され、前記光源設置ケースは、前記中空部に収容された状態で前記開口の縁に当接する鍔を備え、前記キャップと前記開口の縁とは前記回転位置固定手段を構成して、前記キャップの前記挿入部材への螺着によって、前記キャップと前記挿入部材によって前記鍔が挟持されるように構成されていることを特徴とする。
【０００８】
請求項４に記載の考案は、請求項３に記載の光装飾装置であって、前記光源設置ケースの外周壁には該光源設置ケースの内外方向に弾性変形可能な複数の舌片が周方向に所定の間隔で形成され、前記複数の舌片の各々には該舌片の先端部外面に突起が形成され、前記舌片は、前記光源設置ケースを前記挿入部材の前記中空部に収容させる際に、前記突起が該挿入部材の内壁に摺接して該光源設置ケースの内方へ弾性変形し、その弾性変形による反力によって該光源設置ケースが前記挿入部材に対して仮止めされるように構成されていることを特徴とする。
【０００９】
請求項５に記載の考案は、請求項４に記載の光装飾装置であって、前記挿入部材の前記開口の縁及び前記光源設置ケースの前記鍔部の一方には円周方向に沿って所定の間隔で複数の爪が形成され、他方には前記複数の爪に係合可能で係合位置によって該光源設置ケースを該挿入部材に対して位置決めする他の爪が形成されていることを特徴とする。
【考案の効果】
【００１０】
請求項１から５に記載の考案によれば、光源設置ケースを所定の軸を中心に回転させることよって光源からの光の放射の向きを簡単に変更することができる。そして、回転位置固定手段によって挿入部材に対する光源設置ケースの回転位置を固定することができる。
【００１１】
請求項３に記載の考案によれば、キャップの挿入部材への螺着によって、簡単に、挿入部材に対する光源設置ケースの回転位置を固定することができる。
【００１２】
請求項４に記載の考案によれば、舌片の弾性力によって、光源設置ケースを挿入部材に圧接させて光源を仮止めできるので、光の放射の向きの微調整が簡単に行えることになる。
【００１３】
請求項５に記載の考案によれば、光源設置ケースの鍔に形成した爪と挿入部材の端面に形成した爪とを互いに係合させることによって、光源設置ケースを該挿入部材に対して確実に位置決めすることができる。
【考案を実施するための最良の形態】
【００１４】
以下に、本考案に係る光装飾装置を、図面を参照しながら説明する。
図１は、本考案に係る光装飾装置の一実施の形態を示した斜視図、図２は、その分解斜視図、図３は、その主要部を示した分解斜視図、図４は、図１におけるＩＶ−ＩＶ線断面図である。                                                                            
【００１５】
図１に示した光装飾装置１では、装飾板２が支柱（挿入部材）３によってベース（壁面等）４に支持されている。支柱３は、装飾板２に挿入され、その挿入部分から支柱３の内部に収容した後述する光源の光を装飾板２内に照射する。
【００１６】
装飾板２は、透明部材又は半透明部材によって形成されており、その表面に、微細な凹凸による文字等の装飾部Ａが形成されている。そして、この装飾板２には、図２に示すように、適宜箇所に支柱３を挿入させるための挿入孔２ａが形成されている。
【００１７】
支柱３は、図２および図３に示すように、透明部材によって円筒状に形成されており、基端には、フランジ３ａが形成され、該フランジ３ａには、ねじ挿通孔３ｂが形成されている。また、先端面には、冠歯車の歯と同様に周方向に山形を成す粗面３ｃが形成され、先端部周面には、雄ねじ３ｄが形成されている。この場合の粗面３ｃは爪によって形成されている。
【００１８】
また、支柱３は、その先端部を覆うキャップ５を備えている。キャップ５は、内周面に雌ねじ５ａが形成されている。
【００１９】
また、ベース４には、支柱３を挿通させるための孔４ａが形成されている。
【００２０】
さらにまた、光装飾装置１は、支柱３内に収容される円筒状の光源設置ケース６を備えている。光源設置ケース６の先端には、鍔６ａが形成されており、該鍔の下面には、支柱３の先端面に形成した粗面３ｃに対応する形状の粗面６ｂが形成されている。この粗面６ｂは爪によって形成されている。鍔６ａの頂面には、例えば、ドライバー等の工具を係合させる溝６ｃが形成されている。また、光源設置ケース６の先端部周面には、等間隔で３箇所に、Ｕ字状の溝が形成され、該溝によって軸方向に延びる舌片６ｄが画成され、それらの舌片６ｄの先端外面には、突起６ｅが形成されている。
【００２１】
また、光源設置ケース６の先端周面には、孔６ｆが形成されている。そして、内部に設置されたＬＥＤ７が孔６ｆに臨んで配置され、リード線６ｇが光源設置ケース６の基端まで延びている。そして、リード線６ｇは、コネクタ８を介して電源コード９に接続される（図４参照）。
【００２２】
この実施形態の光装飾装置１では、光源設置ケース６を支柱３内に収容させる。すると、光源設置ケース６の舌片６ｄは、内方に弾性変形され、その反力によって、支柱３の内面に圧接する。
【００２３】
そして、ベース４の孔４ａにスリーブ１０を合致させ、該スリーブを介して装飾板２を配置させ、支柱３を、ベース４の裏面側から孔４ａ，スリーブ１０，装飾板２の挿入孔２ａに挿嵌させ、ねじ１１によって支柱３をベース４に固定させる。この状態における支柱３は、その先端部の雄ねじ３ｄが装飾板２から突出した状態にあり、光源７は、装飾板２の厚み内に位置する。
【００２４】
この状態で、ベース４が建物の壁等に設置され、電源コード９が建物内に引き込まれ、電源に接続される。
【００２５】
そして、ドライバー等の工具を溝６ｃに係合させて光源設置ケース６を回動させ、光源７の光の照射方向を、例えば、装飾部Ａに向けて調整する。
【００２６】
次いで、キャップ５を支柱３の先端部に螺合させる。すると、キャップ５は、その天井面で光源設置ケース６の鍔６ａを支柱３の端面に圧接するとともに、キャップ５の開口端面で装飾版２をスリーブ１０に圧着する。
【００２７】
この状態の光装飾装置１では、光源７の光が、孔６を介し、支柱３を透過して装飾板２内に照射され、それによって装飾部Ａが光装飾される。
【００２８】
なお、上記実施形態では、光源７の光が透明な支柱３を透過して装飾板２内に照射されているが、支柱３が不透明部材によって形成されている場合には、支柱３の周面に孔を形成し、その孔を介して光源の光を照射してもよい。
【００２９】
また、上記実施形態では、楕円形の装飾板２を２本の支柱３で支持し、それによって、光を２箇所から放出しているが、複数箇所、例えば図５に示すように、矩形状の装飾板２を４本の支柱３で支持し、光を４箇所から放出してもよいことは勿論である。
【００３０】
また、上記実施形態では、装飾板２に微細な凹凸による文字等の装飾部Ａが形成されているが、そのような装飾部Ａを形成することなく、例えば、装飾板２に複数方向から同一色または異なる色の光を照射することによって、装飾板２上に光の模様を描くようにしてもよい。
【００３１】
また、上記実施形態では、電源コード９によって外部電源を光源７に接続させているが、支柱３内に電池等の電源を収容してもよい。
【００３２】
また、上記実施形態では、装飾板２を支柱３によってベース４に支持させているが、装飾板２がガラス等の透明部材によって形成されたドアー等である場合には、図６に示すように、支柱３に相当する挿入部材を装飾板２に接着剤等によって直接固定してもよい。
【００３３】
また、上記実施形態では、スリーブ１０によってベース４と装飾板２との間隔を決定する、いわゆる、スペーサの役割を担っているが、図７に示すように、支柱３のスペーサ部３ｅを大径にした段付きボルトとすれば、スリーブ１０は必要としない。
【００３４】
また、上記実施形態では、キャップ５によって、装飾板２をスリーブ１０に圧着させるとともに、光源設置ケース６の鍔６ａに形成した粗面６ｂを支柱３の端面に形成した粗面３ｃに当接させている。この場合、いわゆる、両面合せになるため、キャップ５等の取付け寸法精度を高める必要が生じるが、図８に示すように、キャップ５の開口端面と装飾板２との間に、シール材等の弾力を有するワッシャ１２を介在させることによって、装飾板２をスリーブ１０に圧着させるとともに、光源設置ケース６の鍔６ａを支柱３の先端面に当接させることができる。また、キャップ５を両面合せにすることなく、図９に示すように、支柱３の雄ねじ３ｄに螺合させたナット１３によって装飾板２をスリーブ１０に圧接させ、キャップ５の天井面によって光源設置ケース６の鍔６ａを支柱３の先端面に当接せるようにしてもよい。
【図面の簡単な説明】
【００３５】
【図１】本考案に係る光装飾装置の一実施の形態を示した斜視図である。
【図２】図１に示した光装飾装置の分解斜視図である。
【図３】図１に示した光装飾装置の主要部を分解して示した斜視図である。
【図４】図１におけるＩＶ−ＩＶ線断面図である。
【図５】本考案に係る光装飾装置の他の形態を示した斜視図である。
【図６】本考案に係る光装飾装置の他の取付け構造を示した断面図である。
【図７】本考案に係る光装飾装置のさらに他の取付け構造を示した断面図である。
【図８】本考案に係る光装飾装置のさらに他の取付け構造を示した断面図である。
【図９】本考案に係る光装飾装置のさらに他の取付け構造を示した断面図である。
【符号の説明】
【００３６】
１    光装飾装置
２    装飾板
２ａ    孔
３    支柱
３ａ    フランジ
３ｂ    ねじ挿通孔
４    ベース
４ａ    孔
５    キャップ
５ａ    雌ねじ
６    光源設置ケース
６ａ    鍔
７    光源（ＬＥＤ）
Ａ    装飾部
【図１】
0003146125.tif 000003
【図２】
0003146125.tif 000004
【図３】
0003146125.tif 000005
【図４】
0003146125.tif 000006
【図５】
0003146125.tif 000007
【図６】
0003146125.tif 000008
【図７】
0003146125.tif 000009
【図８】
0003146125.tif 000010
【図９】
0003146125.tif 000011